(57)【要約】【課題】  携帯端末で無線通信の状況を診断し、診断した結果に基づいて無線通信機器の無線接続を改善することが可能な携帯端末及び無線通信機器の診断方法を提供する。【解決手段】  診断対象となる被無線通信機器の機器情報に基づき、前記被無線通信機器が実行可能な無線通信能力の範囲において前記被無線通信機器と無線接続を行う無線通信機器との間での無線接続を試み、前記無線接続が成功した場合、無線接続に用いた無線設定情報を前記被無線通信機器に適用させる携帯端末及び無線通信機器の診断方法。【選択図】  図１
2017208746.tif 000002
【特許請求の範囲】
【請求項１】
無線通信機能を備えた携帯端末であって、
無線通信網を介して通信を行う無線通信機器間の無線接続状態の診断に用いる診断プログラムと、
前記診断プログラムを実行することによって無線通信機器間の無線接続状態を判断する制御部と、
診断対象となる被無線通信機器の機器情報を格納する記憶装置とを備え、
前記制御部は前記機器情報に基づき、前記被無線通信機器が実行可能な無線通信能力の範囲において前記被無線通信機器と無線接続を行う無線通信機器との間での無線接続を試み、当該無線接続が成功した場合、無線接続に用いた無線設定情報を前記被無線通信機器に適用させること
を特徴とする携帯端末。
【請求項２】
前記被無線通信機器と無線接続を行う無線通信機器との無線接続が失敗した場合、当該無線通信機器の設置方向、設置位置の変更をユーザに対して促す無線接続改善手段を備えること
を特徴とする請求項１に記載の携帯端末。
【請求項３】
前記無線設定情報には、使用可能チャネル、使用可能無線規格、使用可能アンテナ数が含まれること
を特徴とする請求項１又は請求項２に記載の携帯端末。
【請求項４】
前記被無線通信機器と無線接続を行う無線通信機器は、無線アクセスポイントであること
を特徴とする請求項１乃至請求項３の何れか１項に記載の携帯端末。
【請求項５】
無線通信網を介して通信を行う無線通信機器間の無線接続状態の診断する無線通信機器の診断方法であって、
診断対象となる被無線通信機器の機器情報に基づき、前記被無線通信機器が実行可能な無線通信能力の範囲において前記被無線通信機器と無線接続を行う無線通信機器との間での無線接続を試みるステップと、
前記無線接続が成功した場合、無線接続に用いた無線設定情報を前記被無線通信機器に適用させるステップとを備えること
を特徴とする無線通信機器の診断方法。
【請求項６】
前記被無線通信機器と無線接続を行う無線通信機器との無線接続が失敗した場合、当該無線通信機器の設置方向、設置位置の変更をユーザに対して促す無線接続改善ステップを備えること
を特徴とする請求項５に記載の無線通信機器の診断方法。
【請求項７】
前記無線設定情報には、使用可能チャネル、使用可能無線規格、使用可能アンテナ数が含まれること
を特徴とする請求項５又は請求項６に記載の無線通信機器の診断方法。
【請求項８】
前記被無線通信機器と無線接続を行う無線通信機器は、無線アクセスポイントであること
を特徴とする請求項５乃至請求項７の何れか１項に記載の無線通信機器の診断方法。
【発明の詳細な説明】
【技術分野】
【０００１】
本発明は、携帯端末及び無線通信機器の診断方法に関するものである。
【背景技術】
【０００２】
従来から、無線通信網を介して情報の送受信を行う機器（以下、無線通信機器と称する）に対して保守診断を実施し、これらの機器の状態を把握する装置が知られている（例えば、特許文献１参照）。
【先行技術文献】
【特許文献】
【０００３】
【特許文献１】特開２００７−３４５０７号公報
【発明の概要】
【発明が解決しようとする課題】
【０００４】
ここで、無線通信機器が無線アクセスポイントと接続し無線通信を行う場合、無線通信機器と無線アクセスポイントとの無線接続は安定しないが、携帯端末と無線アクセスポイントとの無線接続は安定して行われる場合がある。
【０００５】
この場合、無線通信機器で保守診断を行ったとしても、機器単体では接続不良の原因を特定することができず、無線接続を改善することが難しいという問題がある。また、無線通信機器が保守診断機能を備えていない場合もあり、無線接続の改善を図ること自体ができない場合もある。
【０００６】
本発明はこのような実状に鑑みてなされたものであり、本発明の課題は、携帯端末で無線通信の状況を診断し、診断した結果に基づいて無線通信機器の無線接続を改善することが可能な携帯端末及び無線通信機器の診断方法を提供することである。
【課題を解決するための手段】
【０００７】
上記課題を解決するために、本発明に係る携帯端末は、無線通信機能を備えた携帯端末であって、無線通信網を介して通信を行う無線通信機器間の無線接続状態の診断に用いる診断プログラムと、前記診断プログラムを実行することによって無線通信機器間の無線接続状態を判断する制御部と、診断対象となる被無線通信機器の機器情報を格納する記憶装置とを備え、前記制御部は前記機器情報に基づき、前記被無線通信機器が実行可能な無線通信能力の範囲において前記被無線通信機器と無線接続を行う無線通信機器との間での無線接続を試み、当該無線接続が成功した場合、無線接続に用いた無線設定情報を前記被無線通信機器に適用させることを特徴としている。
【０００８】
また、本発明に係る無線通信機器の診断方法は、無線通信網を介して通信を行う無線通信機器間の無線接続状態の診断する無線通信機器の診断方法であって、診断対象となる被無線通信機器の機器情報に基づき、前記被無線通信機器が実行可能な無線通信能力の範囲において前記被無線通信機器と無線接続を行う無線通信機器との間での無線接続を試みるステップと、前記無線接続が成功した場合、無線接続に用いた無線設定情報を前記被無線通信機器に適用させるステップとを備えることを特徴としている。
【発明の効果】
【０００９】
本発明によれば、携帯端末で無線通信の状況を診断し、診断した結果に基づいて無線通信機器の無線接続を改善することが可能な携帯端末及び無線通信機器の診断方法を提供することができる。
【図面の簡単な説明】
【００１０】
【図１】本実施形態に係る無線通信機器としてのプリンタＡと、携帯端末と、無線アクセスポイントとの無線通信網を介した接続形態の一例を説明する模式図である。
【図２】本実施形態に係るプリンタＡの構成を説明する概略構成図である。
【図３】本実施家形態に係る携帯端末の構成を説明する概略構成図である。
【図４】プリンタＡ、携帯端末、及び無線アクセスポイントの無線通信に関わる能力であるスペックをまとめた表である。
【図５】プリンタＡ及び携帯端末の無線通信の状況を説明する模式図である。
【図６】本実施形態に係る動作を説明するフローチャートである。
【図７】診断対象の被無線通信機器の選択を受付ける選択画面の例を説明する図である。
【図８】携帯端末を診断対象であるプリンタＡのアンテナ部分に近づけることを促す画面の例である。
【図９】携帯端末の無線設定をプリンタＡに適用させる際の確認画面の例である。
【図１０】装置移動先での無線接続診断を促す画面の例である。
【図１１】診断処理前後のプリンタＡの無線設定の例をまとめた表である。
【発明を実施するための形態】
【００１１】
以下、本発明の実施形態について図面を参照して説明する。なお、本発明は以下の記述に限定されるものではなく、本発明の要旨を逸脱しない範囲において適宜変更可能である。
【００１２】
図１は、被無線通信機器としてのプリンタＡ１００と、携帯端末２００と、被無線通信機器としてのプリンタＡ１００と無線通信を行う無線通信機器としての無線アクセスポイント３００との無線通信網を介した接続形態の一例を説明する模式図である。プリンタＡ１００と携帯端末２００とは無線アクセスポイント３００を介して間接的に接続されていてもよく、この場合、携帯端末２００は、例えば、Ｗｅｂページや、内蔵する撮像機能で撮影した写真等の画像データを無線アクセスポイント３００を介してプリンタＡ１００に送信し、所定の記録媒体に印刷させることが可能となるように構成することができる。また、プリンタＡ１００は、印刷実行ログや装置状態などの情報を無線アクセスポイント３００を介して携帯端末２００に送信し、携帯端末２００が備える操作部を兼ねた表示手段に当該情報を表示させることができるように構成することができる。
【００１３】
図２は、プリンタＡ１００の構成を説明する概略構成図である。プリンタＡ１００は、無線通信部１０１と、制御部１０２と、無線設定格納部１０３と、印刷部１０４とを備える。
【００１４】
無線通信部１０１は、無線通信を行うための図示せぬアンテナ等を備えた無線ＬＡＮ（Local Area Network）ポートとして構成され、無線通信網上に位置する無線アクセスポイント３００と無線接続することによりデータの送受信を行う。
【００１５】
無線設定格納部１０２は、例えば、フラッシュメモリ等の書き換え可能な記憶装置で構成され、無線通信部１０１を制御する上で必要な無線設定を格納する。
【００１６】
制御部１０３は、図示せぬＣＰＵ（Central Processing Unit）等の演算装置を備え、無線通信部１０１を介して受信したデータの処理や、無線設定格納部１０２から取得した設定に基づき無線通信部１０１を制御する。また、制御部１０３は、無線通信部１０１を介して受信したデータが画像データであった場合に、印刷部１０４を制御して所定の記録媒体に印刷画像を形成させる。
【００１７】
印刷部１０４は、例えば、電子写真方式の印刷エンジンを備え、制御部１０３による制御に基づき所定の記録媒体に印刷画像を形成する。
【００１８】
図３は、携帯端末２００の構成を説明する概略構成図である。携帯端末２００は、端末無線通信部２０１と、端末制御部２０２と、記憶装置２０４と、操作部２０７とを備える。
【００１９】
端末無線通信部２０１は、無線通信を行うための図示せぬアンテナ等を備えた無線ＬＡＮモジュールとして構成され、無線通信網上に位置する無線アクセスポイント３００と無線接続することによりデータの送受信を行う。
【００２０】
端末制御部２０２は、図示せぬＣＰＵ等の演算装置を備え、自身が保持する端末プログラム２０３を実行することにより、無線通信機器としてのプリンタＡ１００の診断を行う。端末制御部２０２は、診断を行うために記憶装置２０４に格納された機器情報２０５や端末無線設定２０６等に基づき、ユーザに対するガイダンスや、指示を受付けるためのボタン等を操作部２０７に表示させたり、ユーザの指示に基づき端末無線通信部２０１を制御し、無線接続の診断を行う。さらに、端末制御部２０２は、この診断結果に基づき、端末無線通信部２０１を介して、プリンタＡ１００の無線設定を変更するデータを送信させる。
【００２１】
記憶装置２０４は、フラッシュメモリ等の書き換え可能な記憶装置で構成され、診断に使用される機器情報２０５や、無線通信に必要な端末無線設定２０６を格納する。
【００２２】
操作部２０７は、以下で説明する各種表示画面をユーザに対して表示する表示装置並びにユーザからの操作入力を受付けるタッチパネル等の入力装置を備える。
【００２３】
図４は、プリンタＡ１００、携帯端末２００、及び無線アクセスポイント３００の無線通信に関わる能力であるスペックを装置種類５１、使用可能チャネル５２、無線規格５３、及びアンテナ５４ごとにまとめた表５０である。
【００２４】
プリンタＡ１００の使用可能チャネル５２は、２．４ＧＨｚ帯の１〜１１ｃｈ、５ＧＨｚ帯の３６〜６４ｃｈである。使用可能な無線規格５３は、ＩＥＥＥ８０２．１１ｂ／ｇ／ｎであり、具備しているアンテナ５４は１本（１×１）である。
【００２５】
携帯端末２００の使用可能チャネル５２は、２．４ＧＨｚ帯の１〜１３ｃｈ、５ＧＨｚ帯の３６〜６４ｃｈ、１００〜１４０ｃｈである。使用可能な無線規格５３は、ＩＥＥＥ８０２．１１ｂ／ｇ／ｎであり、具備しているアンテナ５４は２本（２×２）である。
【００２６】
無線アクセスポイント３００使用可能チャネル５２は、２．４ＧＨｚ帯の１〜１３ｃｈ、５ＧＨｚ帯の３６〜６４ｃｈ、１００〜１４０ｃｈである。使用可能な無線規格５３は、ＩＥＥＥ８０２．１１ｂ／ｇ／ｎ／ａｃであり、具備しているアンテナ５４は２本（２×２）である。
【００２７】
ここで、図５を用いて本実施形態に係る動作を説明する上で前提となるプリンタＡ１００及び携帯端末２００の無線通信の状況を説明する。図５に示されるように、プリンタＡ１００は、無線アクセスポイント３００とアンテナ１本で通信しているため、通信が時々途切れたり、通信速度が遅いといった状況下である。これに対して、携帯端末２００は、無線アクセスポイント３００とアンテナ２本で通信しているため、通信状況は良好である。本実施形態では、このときのプリンタＡ１００の無線通信の状況を携帯端末２００を用いて診断し無線接続の改善を図る。
【００２８】
図６は、本実施形態に係る動作を説明するフローチャートである。まず、端末制御部２０２は端末プログラム２０３を実行することにより、診断を開始する。端末制御部２０２は、例えば、図７に示すような診断対象の被無線通信機器の選択を受付ける選択画面２１０を操作部２０７に表示させる。図７に示す選択画面例においては、プルダウンボックス２１００に携帯端末２００の記憶装置２０４に格納された機器情報２０５に基づき、診断可能な無線通信機器の一覧が表示されている。
【００２９】
本実施形態においては、診断対象の無線通信機器はプリンタＡ１００であるため、ユーザはプルダウンボックス２１００から「プリンタＡ」を選択し、「次へ」ボタン２１０２を押下する（ステップＳ１０１）。一方、診断を中止する場合、ユーザは「Ｃａｎｃｅｌ」ボタン２１０１を押下し、診断を中止させる。
【００３０】
診断を進めるために、「次に」ボンタン２１０２が押下されると、端末制御部２０２は図８に示す例のように、携帯端末２００を診断対象であるプリンタＡ１００のアンテナ部分に近づけることを促す画面２２０を操作部２０７に表示させる（ステップＳ１０２）。図８に示す画面例においては、プリンタＡ１００の筐体に刻印されているアンテナマーク２２００が示され、その位置に携帯端末２００を近づけるように指示する例が表示されている。そして、診断を実行する場合、ユーザは「診断」ボタン２２０２を押下する。一方、診断を中止する場合、ユーザは「Ｃａｎｃｅｌ」ボタン２２０１を押下し、診断を中止させる。
【００３１】
ユーザにより「診断」ボタン２２０２が押下されると、端末制御部２０２は診断処理を開始する（ステップＳ１０３）。診断処理を開始すると、端末制御部２０２は、記憶装置２０４に格納された機器情報２０５に基づき、プリンタＡ１００の無線通信スペックで無線アクセスポイント３００との接続を試みる。すなわち、端末制御部２０２は図４の表５０で示したプリンタＡ１００の無線通信スペックである、使用可能なチャネル（２．４ＧＨｚ帯の１〜１１ｃｈ、５ＧＨｚ帯の３６〜６４ｃｈ）、使用可能な無線規格（ＩＥＥＥ８０２．１１ｂ／ｇ／ｎ）、１本のアンテナを使用して無線アクセスポイント３００との接続を試みることでプリンタＡ１００の無線接続を診断する（ステップＳ１０４）。
【００３２】
診断処理の結果、無線接続が良好な組み合わせを発見すると、端末制御部２０２は診断結果をＯＫと判断する。診断結果がＯＫである場合（ステップＳ１０５  ＯＫ）、端末制御部２０２は、無線接続が良好となった携帯端末２００の無線設定をプリンタＡ１００に送信し、コピーさせる（ステップＳ１０６）。無線設定を送信する方法としては、プリンタＡ１００との１対１の通信を実現するＷｉ−Ｆｉ  Ｄｉｒｅｃｔ通信でもよいし、ＮＦＣやＢｌｕｅｔｏｏｔｈ（登録商標）といった近距離通信を利用しても実現することができる。
【００３３】
ここで、図９は、携帯端末２００の無線設定をプリンタＡ１００に適用させる際の確認画面２３０の一例を表している。ここで、ユーザにより「適用」ボタン２３０２が押下されると、端末制御部２００は無線設定をプリンタＡ１００にコピーして適用させる。一方、無線設定の適用を中止する場合、ユーザは「Ｃａｎｃｅｌ」ボタン２０３１を押下し、コピーを中止させる。
【００３４】
ところで、診断処理の結果、無線接続が良好な組み合わせが発見されない場合、端末制御部２０２は診断結果をＮＧと判断する。診断結果がＮＧである場合（ステップＳ１０５  ＮＧ）、無線接続は良好ではないので、プリンタＡ１００を適当な設置場所へ移動させる必要がある。そこで、端末制御部２０２は、図１０に表すような装置移動先での無線接続診断を促す画面２４０を操作部２０７に表示させる（ステップＳ１０７）。この場合、操作部２０７は無線接続改善手段として機能する。ここで、プリンタＡ１００の設置向きや場所を移動させない場合、ユーザは「Ｃａｎｃｅｌ」ボタン２４０１を押下し、診断処理を中止させる。一方、装置移動先での無線接続診断を行う場合、ユーザはプリンタＡ１００を所定の設置向き、設置場所に移動した後に「診断」ボタン２４０２を押下する。
【００３５】
ユーザによる「診断」ボタン２４０２の押下を受けて、端末制御部２０２は、ステップＳ１０３と同様な診断処理を実行する（ステップＳ１０８）。
【００３６】
診断結果がＯＫである場合（ステップＳ１０９  ＯＫ）、端末制御部２０２は、無線接続が良好となった携帯端末２００の無線設定をプリンタＡ１００に送信し、コピーさせる（ステップＳ１０６）。一方、診断結果がＮＧである場合（ステップＳ１０９  ＮＧ）、端末制御部２０２はステップＳ１０７からの処理を繰り返す。
【００３７】
図１１は、診断処理前後のプリンタＡ１００の無線設定の例をまとめた表６０である。この例においては、診断前６４の使用チャネルである２．４ＧＨｚ帯の１１ｃｈが診断後６５では５ＧＨｚ帯の３６ｃｈに変更されている。また、診断前６４の使用無線規格であるＩＥＥ８０２．１１ｇが診断後６５ではＩＥＥ８０２．１１ｎに変更されており、アンテナ数６３は診断処理前後で変更されていないことが分かる。
【００３８】
以上のように、本実施形態によれば、無線通信機器たるプリンタの無線通信の状況を携帯端末で診断し、診断した結果に基づいてプリンタの無線接続を改善することができるため、ユーザはプリンタの無線設定を直接変更することなく、容易に無線通信の状況を改善させることができる。
【００３９】
本発明の説明においては、無線通信機器の一例としてプリンタを例にして説明したが、本発明はこれに限定されるものではなく、例えば、複写機、ＭＦＰ（複合機）、ＦＡＸ、家電等の無線通信を行う機器に適用可能である。
【符号の説明】
【００４０】
１００  プリンタＡ
１０１  無線通信部
１０２  無線設定格納部
１０３  制御部
１０４  印刷部
２００  携帯端末
２０１  端末無線通信部
２０２  端末制御部
２０３  端末プログラム
２０４  記憶装置
２０５  機器情報
２０６  端末無線設定
２０７  操作部
３００  無線アクセスポイント
【図１】
2017208746.tif 000003
【図２】
2017208746.tif 000004
【図３】
2017208746.tif 000005
【図４】
2017208746.tif 000006
【図５】
2017208746.tif 000007
【図６】
2017208746.tif 000008
【図７】
2017208746.tif 000009
【図８】
2017208746.tif 000010
【図９】
2017208746.tif 000011
【図１０】
2017208746.tif 000012
【図１１】
2017208746.tif 000013